(57)【特許請求の範囲】
【請求項１】
複数の塗料供給系と該塗料供給系に接続された複数バルブ内蔵ハンドスプレーガンとを有する可搬式多彩塗装装置であって、
前記複数の塗料供給系のそれぞれは塗料供給駆動部と該塗料供給駆動部の出口側に位置するリリーフバルブとを備えており、前記複数の塗料供給系の塗料供給駆動部は共通の駆動手段により駆動され、該駆動手段及び前記塗料供給駆動部は台に搭載されており、
前記複数バルブ内蔵ハンドスプレーガンは、前記塗料供給系のそれぞれに個別に接続された複数の塗料流通管と、該複数の塗料流通管に接続された塗料吐出口と、前記複数の塗料流通管のそれぞれに付設され塗料流通のＯＮ／ＯＦＦを制御する弁と、該弁の動作を制御する制御手段とを備えていることを特徴とする可搬式多彩塗装装置。
【請求項２】
前記駆動手段はポンプであることを特徴とする、請求項１に記載の可搬式多彩塗装装置。
【請求項３】
前記ポンプはエアー駆動ポンプであり、前記ポンプにはエアー源が接続されていることを特徴とする、請求項２に記載の可搬式多彩塗装装置。
【請求項４】
前記塗料供給駆動部は往復動シリンダであることを特徴とする、請求項２〜３のいずれかに記載の可搬式多彩塗装装置。
【請求項５】
前記台は台車であることを特徴とする、請求項１〜４のいずれかに記載の可搬式多彩塗装装置。
【請求項６】
前記弁は電磁弁であることを特徴とする、請求項１〜５のいずれかに記載の可搬式多彩塗装装置。
【請求項７】
前記複数の塗料流通管は前記塗料吐出口の近傍の合流部を介して前記塗料吐出口に接続されていることを特徴とする、請求項１〜６のいずれかに記載の可搬式多彩塗装装置。
【請求項８】
前記制御手段は前記弁のそれぞれの開放時間を設定するためのタイマを備えていることを特徴とする、請求項１〜７のいずれかに記載の可搬式多彩塗装装置。
【請求項９】
前記複数バルブ内蔵ハンドスプレーガンは前記タイマにより設定される前記弁の開放時間を調整するための調整手段を備えていることを特徴とする、請求項８に記載の可搬式多彩塗装装置。
【請求項１０】
前記複数バルブ内蔵ハンドスプレーガンは前記制御手段の動作のＯＮ／ＯＦＦの制御のためのスイッチを備えていることを特徴とする、請求項１〜９のいずれかに記載の可搬式多彩塗装装置。
【請求項１１】
前記複数バルブ内蔵ハンドスプレーガンには前記制御手段への給電のためのバッテリが接続されており、該バッテリは前記複数バルブ内蔵ハンドスプレーガンのグリップ内に具備されるか又は携帯のための装着具に収納されていることを特徴とする、請求項１〜１０のいずれかに記載の可搬式多彩塗装装置。
【請求項１２】
前記複数バルブ内蔵ハンドスプレーガンは前記制御手段への給電のための乾式電池を内蔵していることを特徴とする、請求項１〜１０のいずれかに記載の可搬式多彩塗装装置。
【請求項１３】
前記複数バルブ内蔵ハンドスプレーガンはエアーラップ塗装ガンであり、前記複数バルブ内蔵ハンドスプレーガンにはエアー源が接続されていることを特徴とする、請求項１〜１２のいずれかに記載の可搬式多彩塗装装置。
【請求項１４】
請求項１〜１３のいずれかに記載の可搬式多彩塗装装置に使用されている前記複数バルブ内蔵ハンドスプレーガン。
【請求項１５】
複数の塗料供給系に接続される複数バルブ内蔵ハンドスプレーガンであって、
前記塗料供給系のそれぞれに個別に接続される複数の塗料流通管と、該複数の塗料流通管に接続された塗料吐出口と、該塗料吐出口と前記複数の塗料流通管との間であって前記塗料吐出口の近傍に介在する合流部と、前記複数の塗料流通管のそれぞれに付設され塗料流通のＯＮ／ＯＦＦを制御する電磁弁と、該電磁弁の動作を制御する制御手段と、該制御手段への給電手段と、前記制御手段の動作のＯＮ／ＯＦＦの制御のためのスイッチとを備えており、
前記制御手段は前記電磁弁のそれぞれを予め決められた順にそれぞれ０．０５秒〜２．０秒の範囲内の予め決められた時間開放するものであることを特徴とする複数バルブ内蔵ハンドスプレーガン。
【発明の詳細な説明】
【０００１】
【発明の属する技術分野】
本発明は、塗装技術に属するものであり、特に塗装作業者が塗装現場に出向いて被塗物の塗装を行うのに適する可搬式多彩塗装装置及びそれに用いる複数バルブ内蔵ハンドスプレーガンに関するものである。
【０００２】
【従来の技術及び発明が解決しようとする課題】
従来、多彩色模様を形成する多彩色塗装を行う際には、各色ごとに塗料供給系及び塗装ガンの組を独立に用いて、各色ごとに適宜のパターンで順次塗装を行って塗り継いだり、或る色の塗料を全面に塗装し、次いでその上に部分的に別の色の塗料を塗装するのが一般的であった。また、被塗物の表面が凹凸状の場合には、各色ごとに適宜のパターンで順次塗装を行って塗り重ね、次いで凸部を拭き取ったり、または、或る色の塗料を全面に塗装し、次いで凸部のみに別の色の塗料をロールコーター塗装するなど、被塗物表面の凹凸形状を利用してそれに対応する模様の多彩色塗装を行うことも行われていた。
【０００３】
しかしながら、上記の被塗物表面の凹凸形状を利用した従来の多彩色塗装は、被塗物表面の凹凸形状に対応した模様しか形成できないので意匠上の制約が大きく、更に被塗物表面の凹凸形状に対応して部分的に塗膜の厚さが異なるので塗膜性能の十分な向上が困難であるという難点がある。
【０００４】
また、上記の複数の塗装ガンを用いる従来の多彩色塗装は、各塗装ガンへ駆動配線及びエアー配管などを独立に接続するので、装置が大がかりになる。このため、主として量産工場において、各色の塗装ガンを固定し又は適宜揺動又は往復移動させ、被塗物をコンベアなどで移動させながら、各色の塗装ガンにより各色塗料を塗布することでなされていた。
【０００５】
一方、各色の境界が鮮明でなく且つ色彩が徐々に変化するような多様で自然感のある多彩色塗膜が要望されるにつれて、このような多彩色塗装を行うための塗装装置として、実公平７−２０８号公報や実用新案登録第２５１０４１１号公報に記載されているように、複数の塗料供給系のそれぞれを各色塗料の吐出のための塗装ガンに接続するのではなく、合流させて１つの塗装ガンへと供給し、各色塗料供給系から合流部へ供給される塗料を適宜切り替えて、１つの塗装ガンから連続的に吐出せしめられる塗料の色を適宜切り替えるようにしたものが提案されている。
【０００６】
しかしながら、上記公報に記載の塗装装置においては、複数の塗料供給系のそれぞれが塗料供給を駆動するためのポンプを備えており、この複数のポンプへの駆動配線及びエアー配管などを独立に接続するので、装置が大がかりになる。このため、主として量産工場において、塗装ガンを固定し又は適宜揺動又は往復移動させ、被塗物をコンベアなどで移動させながら塗装するのに利用されている。
【０００７】
以上のように、従来の多彩色塗装のための塗装装置は、主として大量生産される化粧板などを製造するために、工場に設置されているのが一般的であった。
【０００８】
しかるに、近年、工場以外の種々の塗装現場においても、各色の境界が鮮明でなく且つ色彩が徐々に変化するような多様で自然感のある多彩色塗膜を、単色塗装のように手軽に行うことが要望されている。
【０００９】
そこで、本発明の目的は、以上のような技術的課題を解決すべく、小型で可搬式の多彩塗装装置を提供することにある。
【００１０】
更に、本発明の他の目的は、以上のような可搬式多彩塗装装置に好適に用いられる複数バルブ内蔵ハンドスプレーガンを提供することにある。
【００１１】
【課題を解決するための手段】
本発明によれば、以上の如き目的を達成するものとして、
複数の塗料供給系と該塗料供給系に接続された複数バルブ内蔵ハンドスプレーガンとを有する可搬式多彩塗装装置であって、
前記複数の塗料供給系のそれぞれは塗料供給駆動部と該塗料供給駆動部の出口側に位置するリリーフバルブとを備えており、前記複数の塗料供給系の塗料供給駆動部は共通の駆動手段により駆動され、該駆動手段及び前記塗料供給駆動部は台に搭載されており、
前記複数バルブ内蔵ハンドスプレーガンは、前記塗料供給系のそれぞれに個別に接続された複数の塗料流通管と、該複数の塗料流通管に接続された塗料吐出口と、前記複数の塗料流通管のそれぞれに付設され塗料流通のＯＮ／ＯＦＦを制御する弁と、該弁の動作を制御する制御手段とを備えていることを特徴とする可搬式多彩塗装装置、
が提供される。
【００１２】
本発明の一態様においては、前記駆動手段はポンプである。本発明の一態様においては、前記ポンプはエアー駆動ポンプであり、前記ポンプにはエアー源が接続されている。本発明の一態様においては、前記塗料供給駆動部は往復動シリンダである。本発明の一態様においては、前記台は台車である。
【００１３】
本発明の一態様においては、前記弁は電磁弁である。本発明の一態様においては、前記複数の塗料流通管は前記塗料吐出口の近傍の合流部を介して前記塗料吐出口に接続されている。
【００１４】
本発明の一態様においては、前記制御手段は前記弁のそれぞれの開放時間を設定するためのタイマを備えている。本発明の一態様においては、前記複数バルブ内蔵ハンドスプレーガンは前記タイマにより設定される前記弁の開放時間を調整するための調整手段を備えている。本発明の一態様においては、前記複数バルブ内蔵ハンドスプレーガンは前記制御手段の動作のＯＮ／ＯＦＦの制御のためのスイッチを備えている。
【００１５】
本発明の一態様においては、前記複数バルブ内蔵ハンドスプレーガンには前記制御手段への給電のためのバッテリが接続されており、該バッテリは前記複数バルブ内蔵ハンドスプレーガンのグリップ内に具備されるか又は携帯のための装着具に収納されている。本発明の一態様においては、前記複数バルブ内蔵ハンドスプレーガンは前記制御手段への給電のための乾式電池を内蔵している。
【００１６】
本発明の一態様においては、前記複数バルブ内蔵ハンドスプレーガンはエアーラップ塗装ガンであり、前記複数バルブ内蔵ハンドスプレーガンにはエアー源が接続されている。
【００１７】
更に、本発明によれば、以上の如き目的を達成するものとして、以上のような可搬式多彩塗装装置に使用されている前記複数バルブ内蔵ハンドスプレーガンが提供され、特に、
複数の塗料供給系に接続される複数バルブ内蔵ハンドスプレーガンであって、前記塗料供給系のそれぞれに個別に接続される複数の塗料流通管と、該複数の塗料流通管に接続された塗料吐出口と、該塗料吐出口と前記複数の塗料流通管との間であって前記塗料吐出口の近傍に介在する合流部と、前記複数の塗料流通管のそれぞれに付設され塗料流通のＯＮ／ＯＦＦを制御する電磁弁と、該電磁弁の動作を制御する制御手段と、該制御手段への給電手段と、前記制御手段の動作のＯＮ／ＯＦＦの制御のためのスイッチとを備えており、
前記制御手段は前記電磁弁のそれぞれを予め決められた順にそれぞれ０．０５秒〜２．０秒の範囲内の予め決められた時間開放するものであることを特徴とする複数バルブ内蔵ハンドスプレーガン、
が提供される。
【００１８】
【発明の実施の形態】
以下、図面を参照しながら、本発明の実施の形態を説明する。
【００１９】
図１は本発明による可搬式多彩塗装装置及びそれに用いる複数バルブ内蔵ハンドスプレーガンの一実施形態の構成を示す模式図である。また、図２及び図３は本実施形態の塗料供給系の具体的構造の一部を示す部分正面図及び部分断面図である。
【００２０】
図１において、１Ａ，１Ｂ，１Ｃは互いに色の異なる塗料を供給する塗料供給系であり、供給系１Ａ，１Ｂ，１ＣはそれぞれＡ色塗料、Ｂ色塗料及びＣ色塗料を供給する。尚、３つの塗料供給系１Ａ，１Ｂ，１Ｃを一括して塗料供給系１として示している。２は塗料供給系１Ａ，１Ｂ，１Ｃに接続された１つの複数バルブ内蔵ハンドスプレーガンである。また、図１において、３は複数バルブ内蔵ハンドスプレーガン２を操作して塗装作業を行う塗装作業者を示し、４は複数バルブ内蔵ハンドスプレーガン２により多彩色塗装の施される被塗物たる壁面である。
【００２１】
塗料供給系１Ａは、塗料吸引管１１Ａと、塗料供給管１２Ａと、これら塗料吸引管１１Ａ及び塗料供給管１２Ａの間に介在し塗料供給駆動部を構成する往復動シリンダ１３Ａとを有する。塗料吸引管１１Ａの往復動シリンダ１３Ａとの接続側の端部と反対側の端部には吸引フィルタ１４Ａが付されており、この端部はＡ色塗料タンク１５Ａ内のＡ色塗料１６Ａ中に浸漬される。塗料供給管１２Ａの往復動シリンダ１３Ａとの接続側の端部と反対側の端部に、上記複数バルブ内蔵ハンドスプレーガン２が接続されている。また、往復動シリンダ１３Ａの塗料出口側にはリリーフバルブ１７Ａを介して塗料戻り管３０Ａが接続されており、塗料供給管１２Ａ内の圧力が高くなりすぎると、リリーフバルブ１７Ａの作用によりＡ色塗料は塗料戻り管３０Ａを介してＡ色塗料タンク１５Ａへと戻される。
【００２２】
塗料供給系１Ｂ及び塗料供給系１Ｃは、塗料供給系１Ａと類似の構成を有しており、塗料供給系１Ａにおけるものと対応する部材には識別符号Ａに代えてそれぞれ識別符号Ｂまたは識別符号Ｃを使用することを除いて同一の符号を以て示されている。尚、塗料タンク１５Ｂ及び塗料タンク１５Ｃには、それぞれＢ色塗料１６Ｂ及びＣ色塗料１６Ｃが収容されている。塗料供給管１２Ａ，１２Ｂ，１２Ｃを一括して塗料供給管１２として示している。
【００２３】
図１及び図２において、１７は塗料供給駆動部に対する共通の駆動手段としてのエアー駆動ポンプであり、該ポンプ１７の往復駆動部材１７’は３つに分岐されており、これら３つの分岐部分が、上記往復動シリンダ１３Ａ，１３Ｂ，１３Ｃ内の往復動プランジャに接続されている。従って、ポンプ１７を作動させることにより、各塗料供給系１Ａ，１Ｂ，１Ｃの往復動シリンダ１３Ａ，１３Ｂ，１３Ｃを同時に駆動することができる。各往復動シリンダ１３Ａ，１３Ｂ，１３Ｃ内では、プランジャの往復移動に伴って、図３に示されるリリーフバルブ１７Ａの作用により、塗料吸引管１１Ａ，１１Ｂ，１１Ｃの側から塗料供給管１２Ａ，１２Ｂ，１２Ｃの側へと塗料を移送する圧力が生ぜしめられる。なお、図３に示されている開閉弁３２は、塗装装置の作動時には開いている。
【００２４】
上記のように、各往復動シリンダ１３Ａ，１３Ｂ，１３Ｃの塗料出口側にはそれぞれリリーフバルブ１７Ａ，１７Ｂ，１７Ｃを介して塗料戻り管３０Ａ，３０Ｂ，３０Ｃが接続されているので、各塗料供給系１Ａ，１Ｂ，１Ｃにて塗料供給管１２Ａ，１２Ｂ，１２Ｃから複数バルブ内蔵ハンドスプレーガン２へと供給すべき各色塗料の量（即ち、複数バルブ内蔵ハンドスプレーガン２の側で設定される各色塗料の所要量）がそれぞれ各往復動シリンダ１３Ａ，１３Ｂ，１３Ｃからの各色塗料の吐出量と異なっていても、過剰量の各色塗料はリリーフバルブ１７Ａ，１７Ｂ，１７Ｃを介して塗料戻り管３０Ａ，３０Ｂ，３０Ｃから塗料タンク１５Ａ，１５Ｂ，１５Ｃへと戻されるので、ポンプ１７を連続的に作動させながら複数バルブ内蔵ハンドスプレーガン２からの各色塗料の吐出量を互いに独立に適宜変化させることができる。
【００２５】
ポンプ１７及びシリンダ１３Ａ，１３Ｂ，１３Ｃは、台車１８に搭載されており、所要の場所へと容易に移動させることができる。但し、台車１８に代えて車輪を有しない可搬性のある単なる枠体等の台を使用することも可能である。
【００２６】
図１に示されているように、ポンプ１７にはエアー配管１９を介して駆動エアー源５が接続されている。
【００２７】
図４は上記複数バルブ内蔵ハンドスプレーガン２の具体的構造を示す縦断面図であり、図５はその横断面図である。複数バルブ内蔵ハンドスプレーガン２の先端部付近には、上記塗料供給系１Ａ，１Ｂ，１Ｃの塗料供給管１２Ａ，１２Ｂ，１２Ｃとそれぞれ個別に接続された塗料流通管２１Ａ，２１Ｂ，２１Ｃが形成されている。これらの塗料流通管２１Ａ，２１Ｂ，２１Ｃは、塗料供給管１２Ａ，１２Ｂ，１２Ｃとの接続部側の端部から上方へと延びた互いに平行な第１部分２１Ａ１，２１Ｂ１，２１Ｃ１と、それらの上端から水平方向に延びた互いに平行な第２部分２１Ａ２，２１Ｂ２，２１Ｃ２とを有する。尚、塗料供給管１２Ａ，１２Ｃは、それらの符号が図示されていないが、塗料供給管１２Ｂと同様な構成を有している。また、第１部分２１Ａ１，２１Ｃ１は、それらの符号が図示されていないが、第１部分２１Ｂ１と同様な構成を有している。第２部分２１Ａ２，２１Ｂ２，２１Ｃ２の端部（第１部分の側と反対の側の端部）は、合流部分２１’を介して１つの塗料吐出口２０に接続されている。合流部分２１’は、塗料吐出口２０の近傍に位置している。
【００２８】
塗料流通管２１Ａ，２１Ｂ，２１Ｃの第１部分２１Ａ１，２１Ｂ１，２１Ｃ１と第２部分２１Ａ２，２１Ｂ２，２１Ｃ２との間には、当該塗料流通管内の塗料流通のＯＮ／ＯＦＦを制御する電磁弁２２Ａ，２２Ｂ，２２Ｃが配置されている。
【００２９】
複数バルブ内蔵ハンドスプレーガン２は、電磁弁２２Ａ，２２Ｂ，２２Ｃの動作（即ち弁の開放）をそれぞれ制御する制御手段を構成するタイマを備えている。該タイマは、それぞれ電磁弁２２Ａ，２２Ｂ，２２Ｃの動作時間（即ち弁の開放時間）を設定する。該タイマには、設定される弁開放時間を調整するための調整手段が設けられている。制御手段は、更に電磁弁２２Ａ，２２Ｂ，２２Ｃの動作順序（即ち弁の開放順序）を設定する不図示の制御部を有する。該制御部には予め電磁弁２２Ａ，２２Ｂ，２２Ｃの開放順序が設定されるが、この設定を手動操作により適宜変更することが可能なようにすることもできる。この制御部としては、マイクロコンピュータを利用することも可能である。
【００３０】
複数バルブ内蔵ハンドスプレーガン２は、その把手部分に、上記制御手段の動作のＯＮ／ＯＦＦの制御のためのスイッチ２６を備えている。図１に示されているように、複数バルブ内蔵ハンドスプレーガン２には、制御手段への給電のためのバッテリ６が接続されており、該バッテリ６は携帯のための装着具に収納されており、該装着具は塗装作業者３が腰に巻いて又は肩に掛けて装着する。これにより、複数バルブ内蔵ハンドスプレーガン２が軽量化され、塗装作業の一層の効率化が可能である。バッテリ６と制御手段とは、スイッチ２６を介して給電コード２７により接続されている。該スイッチ２６を手指で押すことで、制御手段が動作し、電磁弁２２Ａ，２２Ｂ，２２Ｃの所定の順序及び時間での開放が順次繰り返される。尚、給電手段としては、バッテリ６に代えて乾式電池を使用することも可能であり、特に該乾式電池を複数バルブ内蔵ハンドスプレーガンに内蔵させることも可能である。また、バッテリを複数バルブ内蔵ハンドスプレーガンのグリップ内に具備させることも可能である。
【００３１】
複数バルブ内蔵ハンドスプレーガン２は、エアーラップ塗装ガンであり、図４及び図５に示されているように、吐出口２０の周囲には吐出塗料の吐出パターンを調整するために吐出されるラップエアーのための出口２０’が形成されている。このエアー出口２０’へとエアーを供給するため、図１にも示されているように、複数バルブ内蔵ハンドスプレーガン２はエアー配管２８を介して駆動エアー源５に接続されている。図４に示されているように、複数バルブ内蔵ハンドスプレーガン２内には、エアー配管２８と接続されたエアー通路２９が形成されており、該エアー通路２９は上記ラップエアー出口２０’と接続されている。吐出口２０から吐出される塗料は、エアー出口２０’から吐出されるエアーにより包囲されており、この包囲エアーの吐出の形態を調節するために、複数バルブ内蔵ハンドスプレーガン２の先端に所要の開口を有するエアーキャップ３４が配置されている。このキャップ３４は、複数バルブ内蔵ハンドスプレーガン２の本体に対してネジ込みにより相対回転可能なように適合させることができ、複数バルブ内蔵ハンドスプレーガン本体に対するネジ込み回転角を適宜調節することで所望のラップエアー吐出形態を実現し、所要の塗料吐出パターンを得ることができる。
【００３２】
以上のような本実施形態の可搬式多彩色塗装装置の使用に際しては、１Ａ，１Ｂ，１Ｃからなる塗料供給系１の全体、及び複数バルブ内蔵ハンドスプレーガン２、バッテリ６及び給電コード２７を台車１８に搭載して、所望の被塗物４の前へと搬送する。ポンプ１７を１つしか使用しないことで、台車１８に搭載される全部材の重量の合計が低減されており、従って、台車１８の移動は人手により容易に実行することができる。
【００３３】
駆動エアー源５に接続されたエアー配管１９，２８を塗装装置の近傍まで導き、該エアー配管１９，２８の先端をそれぞれポンプ１７及び複数バルブ内蔵ハンドスプレーガン２のエアー通路２９と接続する。ポンプ１７が作動せしめられることで、３つのシリンダ１３Ａ，１３Ｂ，１３Ｃ内のプランジャが同時に上下動を開始し、塗料タンク１５Ａ，１５Ｂ，１５Ｃ内のＡ，Ｂ，Ｃ色の塗料１６Ａ，１６Ｂ，１６Ｃの塗料供給管１２Ａ，１２Ｂ，１２Ｃへの供給が開始される。
【００３４】
塗装作業者３は、バッテリ６を収納した装着具を装着し、複数バルブ内蔵ハンドスプレーガン２を手でつかみ被塗物４に向け、スイッチ２６を押しながら、被塗物４に対する走査を行う。スイッチ２６を押すことで、複数バルブ内蔵ハンドスプレーガン２の制御部が動作し、予め定められた順序でタイマに予め設定された時間だけ電磁弁２２Ａ，２２Ｂ，２２Ｃを開放する。図６に、制御部の動作のＯＮ／ＯＦＦ及び電磁弁２２Ａ，２２Ｂ，２２Ｃの動作のＯＮ／ＯＦＦのタイムチャートを示す。複数バルブ内蔵ハンドスプレーガン２の制御部が動作している限り、以上のような順序での電磁弁２２Ａ，２２Ｂ，２２Ｃの開放が繰り返される。タイマにより設定される時間は、それぞれＴＡ，ＴＢ，ＴＣである。これらの時間は、例えば０．０５秒〜２．０秒とすることができ、具体例としてはＴＡ＝０．２秒，ＴＢ＝０．１秒，ＴＣ＝０．３秒である。電磁弁２２ＡがＯＦＦにされると同時に電磁弁２２ＢがＯＮされ、電磁弁２２ＢがＯＦＦにされると同時に電磁弁２２ＣがＯＮされるようにすることができるが、これに限定されることはない。例えば、制御部にマイクロコンピュータを用いた場合には、そのプログラムを適宜設定しておくことで、電磁弁２２ＡがＯＦＦにされる僅か［例えば０．０５秒〜０．５秒］前（または後）に電磁弁２２ＢがＯＮされ、同様に電磁弁２２ＢがＯＦＦにされる僅か前（または後）に電磁弁２２ＣがＯＮされるようにしてもよい。
【００３５】
タイマにより設定される時間ＴＡ，ＴＢ，ＴＣ及び電磁弁２２Ａ，２２Ｂ，２２Ｃの開放の順序は、上記のように塗装作業者３が適宜設定することができる。また、制御部にマイクロコンピュータを用いた場合には、そのプログラムを適宜設定しておくことで、電磁弁２２Ａ，２２Ｂ，２２Ｃの開放の順序をランダムに設定することも可能であり、また、タイマ２５Ａ，２５Ｂ，２５Ｃに代えて適宜のメモリを使用することも可能である。
【００３６】
以上のようにして複数バルブ内蔵ハンドスプレーガン２から塗料を吐出させることで、電磁弁２２ＡがＯＮされている時には主としてＡ色塗料が吐出され、電磁弁２２ＢがＯＮされている時には主としてＢ色塗料が吐出され、電磁弁２２ＣがＯＮされている時には主としてＣ色塗料が吐出される。しかし、Ａ色塗料からＢ色塗料への切り替えの際や、Ｂ色塗料からＣ色塗料への切り替えの際や、Ｃ色塗料からＡ色塗料への切り替えの際に形成された塗膜の色切り替え部分は境界が不鮮明な（即ちグラデーションがかかった）自然感のあるものとなる。このような作用は、複数バルブ内蔵ハンドスプレーガン２内の塗料流通管２１Ａ，２１Ｂ，２１Ｃに連なる合流部２１’での色切り替えの際の過渡的な異色塗料の混合に基づくものである。即ち、色切り替えの際に、吐出停止された色の塗料は合流部２１’に近接する塗料流通管第２部分２１Ａ２，２１Ｂ２，２１Ｃ２に存在するので、これが新たに吐出される色の塗料と混合せしめられるのであり、それらの比率が次第に変化するからであると考えられる。尚、合流部２１’の容積を大きくして混合室を形成することも可能である。
【００３７】
また、以上のような色切り替えによる境界が不鮮明な自然感のある塗膜の形成に連続して、電磁弁２２Ａ，２２Ｂ，２２ＣのＯＮ−ＯＦＦを適宜制御し、いずれか１つの電磁弁のみを所望時間ＯＮして１色の塗料のみの吐出を所望時間継続したり、又は複数の電磁弁を同時に所望時間ＯＮして複数の色の混合塗料の吐出を所望時間継続したりすることが可能である。もちろん、それに連続して、以上のような色切り替えによる境界が不鮮明な自然感のある塗膜の形成に復帰することが可能である。
【００３８】
尚、電磁弁２２Ａ，２２Ｂ，２２ＣのうちのＯＦＦ状態のものに対応する塗料供給系１Ａ，１Ｂ，１Ｃでは、塗料供給管１２Ａ，１２Ｂ，１２Ｃ内の圧力が高くなり、塗料は塗料供給管１２Ａ，１２Ｂ，１２Ｃには供給されずにリリーフバルブ１７Ａ，１７Ｂ，１７Ｃの作用により塗料戻り管３０Ａ，３０Ｂ，３０Ｃを介して塗料タンク１５Ａ，１５Ｂ，１５Ｃへと戻される。
【００３９】
本実施形態の可搬式多彩塗装装置及びそれに用いる複数バルブ内蔵ハンドスプレーガンは、所要の塗装現場に容易に搬送することができ、更に、被塗物が床のように上向き面であるものに限らず、壁や天井などの横向きまたは下向きの面に対しても自由に、また、これら互いに異なる向きの面に対して連続して、多彩塗装を行うことができる。
【００４０】
以上の実施形態では複数バルブ内蔵ハンドスプレーガン２としてエアーラップ塗装ガンが使用されているが、本発明では複数バルブ内蔵ハンドスプレーガンとしてその他のエアアシストガン、エアスプレーガン、エアレススプレーガンなどを使用することも可能である。
【００４１】
本発明の可搬式多彩塗装装置での塗装に使用される複数の塗料の組み合わせとしては、色の異なるエナメルどうしの組み合わせ、エナメルとクリヤーとの組み合わせ、色の異なるカラークリヤーどうしの組み合わせ、パール含有の有るものと無いものとの組み合わせなど、多岐にわたる組み合わせが可能である。即ち、本発明でいう多彩塗装とは、必ずしも色の異なる塗料を用いる多彩色塗装に限定されず、視覚的に認識し得るグラデーションを形成し得るものであればよい。
【００４２】
また、以上の実施形態では３種類の塗料を用いた塗装がなされており、これによれば、手持ちされる複数バルブ内蔵ハンドスプレーガン２の重量を大きくすることなくかなりの程度の多彩性が得られるので好ましい。しかしながら、本発明の可搬式多彩塗装装置は４種類以上の塗料を用いた塗装にも適用することができ、その場合複数バルブ内蔵ハンドスプレーガン２を構成する部材として低比重のものを用いるなどの複数バルブ内蔵ハンドスプレーガン重量低減策を講ずるのが好ましい。また、それほど高い程度の多彩性が要求されない場合には、本発明の可搬式多彩塗装装置を２種類の塗料を用いた塗装に適用することもできる。
【００４３】
【発明の効果】
以上説明したように、本発明によれば、複数の塗料供給系のそれぞれに備えた塗料供給駆動部を共通の駆動手段により駆動し、塗料供給駆動部の出口側にリリーフバルブを備えておき、これらの駆動手段及び塗料供給駆動部を台に搭載し、複数バルブ内蔵ハンドスプレーガンとして、塗料供給系のそれぞれに個別に接続された塗料流通管と、塗料吐出口と、塗料流通のＯＮ／ＯＦＦ制御弁と、その制御手段とを備えるものを用いることで、小型で可搬式で、多彩な自然感のある多彩塗装の可能な塗装装置が提供され、更にそれに使用される上記複数バルブ内蔵ハンドスプレーガンが提供される。
【図面の簡単な説明】
【図１】本発明による可搬式多彩塗装装置の構成を示す模式図である。
【図２】本発明による可搬式多彩塗装装置の塗料供給系の具体的構造の一部を示す部分正面図である。
【図３】本発明による可搬式多彩塗装装置の塗料供給系の具体的構造の一部を示す部分断面図である。
【図４】本発明による可搬式多彩塗装装置の複数バルブ内蔵ハンドスプレーガンの具体的構造を示す縦断面図である。
【図５】本発明による可搬式多彩塗装装置の複数バルブ内蔵ハンドスプレーガンの具体的構造を示す横断面図である。
【図６】本発明による可搬式多彩塗装装置の複数バルブ内蔵ハンドスプレーガンの動作のＯＮ／ＯＦＦのタイムチャートである。
【符号の説明】
１，１Ａ，１Ｂ，１Ｃ    塗料供給系
２    複数バルブ内蔵ハンドスプレーガン（手持ち塗装ガン）
３    塗装作業者
４    被塗物壁面
５    駆動エアー源
６    バッテリ
１１Ａ，１１Ｂ，１１Ｃ    塗料吸引管
１２，１２Ａ，１２Ｂ，１２Ｃ    塗料供給管
１３Ａ，１３Ｂ，１３Ｃ    シリンダ
１４Ａ，１４Ｂ，１４Ｃ    吸引フィルタ
１５Ａ，１５Ｂ，１５Ｃ    塗料タンク
１６Ａ，１６Ｂ，１６Ｃ    塗料
１７    ポンプ
１７’    往復駆動部材
１７Ａ，１７Ｂ，１７Ｃ    リリーフバルブ
１８    台車
１９    エアー配管
２０    塗料吐出口
２０’    ラップエアー出口
２１Ａ，２１Ｂ，２１Ｃ    塗料流通管
２１Ａ１，２１Ｂ１，２１Ｃ１    塗料流通管第１部分
２１Ａ２，２１Ｂ２，２１Ｃ２    塗料流通管第２部分
２１’    合流部分
２２Ａ，２２Ｂ，２２Ｃ    電磁弁
２６    スイッチ
２７    給電コード
２８    エアー配管
２９    エアー通路
３０Ａ，３０Ｂ，３０Ｃ    塗料戻り管
３２    開閉弁
３４    エアーキャップ
【図１】
0003809372.tif 000002
【図２】
0003809372.tif 000003
【図３】
0003809372.tif 000004
【図４】
0003809372.tif 000005
【図５】
0003809372.tif 000006
【図６】
0003809372.tif 000007